(57)【特許請求の範囲】
【請求項１】
便器と、該便器装置は人体局部を洗浄する洗浄手段を備え、該洗浄手段は洗浄水としての温水を貯える温水タンクを備えると共に、前記便器は載置され前記便器使用時に必要な部品が集約されるとともに前記便器に当接した当接状態及び前記便器との間に隙間が形成される浮上状態とを取り得るように回動軸を中心として後方に回動可能な本体装置と、前記本体装置の回動を規制することにより前記浮上状態を保持するとともに前記本体装置を前記浮上状態から前記当接状態とする方向の一定以上の荷重が付与された際に前記本体装置を回動可能とする保持手段と、前記便器の上部に固定され前記本体装置の前記回動軸を前後方向にスライド自在に保持する設置板とを具備し、
前記保持手段は、前記本体装置の底部に固定される樹脂ケースと、前記樹脂ケースに軸支される軸部と前記便器の上部に設置される設置部を有し前記軸部を中心として回動可能なスタンドと、該スタンドの前記回動動作に対して粘性抵抗を付与する粘性流体を有するダンパ手段と、前記設置部と前記本体装置とを離間する方向に前記スタンドを付勢する付勢手段とを具備すると共に、前記浮上状態において前記スタンドの回動動作を固定してロック状態とする固定機能と、前記ロック状態において前記本体装置を前記浮上状態から前記当接状態とする方向の一定以上の荷重が付与された際に前記スタンドの回動動作の固定を解除する固定解除機能とを備え、
前記ダンパ手段は前記温水タンクの近傍に位置することを特徴とする便器装置。
【発明の詳細な説明】
【０００１】
【発明の属する技術分野】
本発明は、用便後に人体局部を洗浄する人体局部洗浄装置に関し、特に、洗浄水タンク等を内蔵した本体を便器上で移動及び回動できるようにして、掃除、修理が容易に行い得るようにした人体局部洗浄装置の構造に係るものである。
【０００２】
【従来の技術】
一般に、便器装置は、便器と、用便時に必要な部品が集約された本体装置を備える。本体装置は、用便の際に人体局部洗浄に関する種々の機能（例えば人体局部洗浄機能、脱臭機能等）を実行するための機能部（例えば人体局部洗浄機能を実行するために必要な温水タンクやポンプモータ、脱臭機能を実行するために必要な脱臭ファン等）、機能部を収納した本体ケース、洗浄ノズル装置等の洗浄手段、本体ケースに回動可能に取り付けられた便座及び便蓋を備え、これらを集約したものであり、本体ケースをボルトナット等の締結手段によって便器に固定することにより、本体装置を便器に強固に設置しているものである。
【０００３】
上記構成の便器装置を清掃するとき、特に、便器と本体装置との間を清掃するときには、本体装置を締結しているボルトナット等の締結手段を取り外して本体装置と便器とを分離させる必要がある。しかしながら、この締結手段の取り外し作業は、締結手段の位置が便器の後方側に位置するので、清掃者はロータンク側に回り込み、平伏した姿勢で行わなければならなず、作業状態が悪いという問題がある。この問題を解決したものに、特開平９−３１６９７６号公報に示されたものがある。この公報に記載された便器装置は、便器と、ロータンクと、本体装置と、本体装置を便器の外方向に回動させる回動機構とを備えたもので構成される。そして、この便器装置を清掃するためには、本体装置全体を前方にスライドさせてロータンクとの間に回動用のスペースを確保し、次いで、本体装置を回動軸回りに上方へ回動させる。この回動により本体装置の底部に収納されたダンパ手段のロッドが付勢力により突出し、所定の位置で突出したまま位置決め固定される。これにより本体装置がダンパ手段に支えられて便器に対して浮上した浮上状態で固定されるので、清掃者が便器と本体装置との間を清掃することが可能となるものである。
【０００４】
図１２に上記従来技術のダンパ手段１０１の構造を示す。図において、ダンパ手段１０１は、スリーブ１０２内にスプリング１０３を介してロッド１０４を摺動可能に配設してなる。ロッド１０４は、先端部を外方に曲げてＬ字状に形成してあるとともに、空気孔１０５を設けた大径の後端部を有する。そして、スリーブ１０２の先端にはロッド抜け防止のためのキャップ１０６が被せてある。また、ロッド１０４には、スリーブ１０２より延設したロックプレート１０７を係合させるための係合溝１０８を有する。ロックプレート１０７は、それ自体の弾性力によってロック方向に付勢されており、レバー１０９を引くことによってロッド１０４との係合が解かれ、ロック解除されるように構成されている。
【０００５】
上記構成のダンパ手段１０１において、ダンパ手段１０１の上部の本体装置が回動すると、ダンパ手段１０１のロッド１０４がスプリング１０３の付勢力により外部に突出する。そして、本体装置が所定角度回動した時点でロックプレート１０７とロッド１０４の係合溝１０８とが係合し、本体装置はその位置に保持される。このため本体装置と便器との間の隙間Ｓの清掃が可能となる。
【０００６】
次いで、清掃後に本体装置を通常の位置に戻す際には、ダンパ手段１０１のレバー１０９を前方に引く。これにより、ダンパ手段１０１のロック状態が解除され、本体装置はその自重によって下方に回動し、通常の位置に戻るものである。
【０００７】
【発明が解決しようとする課題】
しかしながら、上記従来技術においては、ダンパ手段１０１のロック状態を解除するためには、清掃者がロックレバー１０９を引かなければならない。言い換えれば、清掃者がロックレバー１０９を引かない限り、ダンパ手段１０１のロック状態は解除されない。このため、ダンパ手段１０１をロック状態として本体装置を回動状態に保持しているときに、本体装置上部から荷重がかかると、ロッド１０４に過負荷がかかり、ロッド１０４が破損してしまうという問題がある。ロッド１０４が破損すると、本体装置を支えるものがなくなるとともにダンパ手段１０１もそのダンパ機能を発揮できなくなり、本体装置は勢い良く便器に衝突する。このため本体装置自身も破損してしまうという問題がある。
【０００８】
故に、本発明は、上記実情に鑑みてなされてものであり、人体局部洗浄装置において、本体装置が浮上状態であるときに荷重がかかった場合、本体装置や回動機構が破損しないようにこれらを保護することを技術的課題とするものである。
【０００９】
【課題を解決するための手段】
上記技術的課題を解決するために、請求項１において講じた発明は、
便器と、該便器装置は人体局部を洗浄する洗浄手段を備え、該洗浄手段は洗浄水としての温水を貯える温水タンクを備えると共に、前記便器は載置され前記便器使用時に必要な部品が集約されるとともに前記便器に当接した当接状態及び前記便器との間に隙間が形成される浮上状態とを取り得るように回動軸を中心として後方に回動可能な本体装置と、前記本体装置の回動を規制することにより前記浮上状態を保持するとともに前記本体装置を前記浮上状態から前記当接状態とする方向の一定以上の荷重が付与された際に前記本体装置を回動可能とする保持手段と、前記便器の上部に固定され前記本体装置の前記回動軸を前後方向にスライド自在に保持する設置板とを具備し、
前記保持手段は、前記本体装置の底部に固定される樹脂ケースと、前記樹脂ケースに軸支される軸部と前記便器の上部に設置される設置部を有し前記軸部を中心として回動可能なスタンドと、該スタンドの前記回動動作に対して粘性抵抗を付与する粘性流体を有するダンパ手段と、前記設置部と前記本体装置とを離間する方向に前記スタンドを付勢する付勢手段とを具備すると共に、前記浮上状態において前記スタンドの回動動作を固定してロック状態とする固定機能と、前記ロック状態において前記本体装置を前記浮上状態から前記当接状態とする方向の一定以上の荷重が付与された際に前記スタンドの回動動作の固定を解除する固定解除機能とを備え、
前記ダンパ手段は前記温水タンクの近傍に位置することを特徴とする便器装置としたことである。
【００１０】
上記発明によれば、便器装置は、便器と、便器に載置され便器使用時に必要な部品が集約された本体装置と、保持手段と、設置板とを備える。本体装置は、該本体装置が便器に当接した当接状態と、該本体装置と便器との間に隙間が形成される浮上状態とを取り得るように回動軸を中心として後方に回動可能とされている。設置板は、便器の上部に固定され、本体装置の回動軸を前後方向にスライド自在に保持している。そして、保持手段は、本体装置が回動して便器との間に隙間が形成された浮上状態において、本体装置の回動を規制してこの浮上状態を保持するとともに、本体装置を浮上状態から当接状態とする方向の荷重が付与された際には本体装置を回動可能とするものである。
【００１１】
本発明は、上記構成のため、本体装置が回動して便器との間に隙間が形成された浮上状態であるときに、保持手段によりこの浮上状態が保持され、本体装置の回動が規制されているので、清掃者は本体装置と便器との間の隙間を清掃することができる。また、この浮上状態において、本体装置を浮上状態から当接状態にする方向（第１の方向）に一定以上の荷重が保持手段に付加されたときには、保持手段による本体装置の回動規制が解かれて本体装置は回動可能とされ、本体装置が浮上状態から当接状態となる方向に回動するものである。
【００１２】
このように、浮上状態において保持手段に前記第１の方向に一定以上の荷重が付加された際に、保持手段による本体装置の回動規制を解いて本体装置を回動可能とするので、付加された荷重により保持手段が破損することはないものである。
【００１３】
本発明で最も注目すべきことは、浮上状態において本体装置を浮上状態から当接状態にする方向に一定以上の荷重が保持手段に付加された際に、保持手段により回動が規制された本体装置が回動可能とされることである。従来においては、本体装置は、該本体装置と便器とが当接した当接状態及び該本体装置と便器との間に隙間を設けた浮上状態とを取り得るように便器に対して回動可能であり、保持手段としてのロッドに保持されて本体装置と便器との間に隙間を形成した浮上状態を保持している。この状態において、ロッドはその軸方向にしか可動することができないので、ロッドは浮上状態を保持するとともに本体装置の回動も規制している。従って、本体装置を回動させる方向に荷重がかかった場合には、ロッドはその軸方向にしか可動することができないので、本体装置の回動規制を解除することはできず、この荷重は全てロッドにかかり、付加される荷重が大きいとロッドが破損してしまう。これに対し、本発明では、浮上状態において保持手段に当接状態とする方向への一定以上の荷重がかかった場合、本体装置の回動規制が解かれ、本体装置は回動可能とされる。このため本体装置は付加された荷重に従って当接状態への方向へ回動する。従って、保持手段が付加された荷重によって破損されることがないものである。
【００１５】
また、上記発明によれば、保持手段は、本体装置の底部に軸部が軸支されたスタンドと、該スタンドを付勢する付勢手段とを備える。スタンドは、その軸部を中心として回動可能とされている。そして、付勢手段は、スタンドの設置部（軸支された軸部とは反対側の端部）と本体装置とを離間する方向にスタンドを付勢するものである。
【００１６】
本発明は、上記構成のため、本体装置の底部にその軸部が軸支されたスタンドは、付勢手段により常にその設置部が本体装置と離間する方向に付勢力が付与されている。つまり、スタンドは、本体装置を浮上状態とするように常に付勢され、本体装置は当接状態から浮上状態となる方向の付勢荷重を常に受けている。これにより浮上状態においては、この付勢荷重によりスタンドの設置部が本体装置と離間する方向に回動して本体装置の底面から突出した突出状態となり、この突出したスタンドが本体装置を支えてその浮上状態を保持することができるものである。
【００１７】
一方、当接状態においては、スタンドには、本体装置に当接させる方向に大きなモーメントがかかる。このためスタンドの設置部は本体装置と離間する方向には回動できずに本体装置の底面に収納された収納状態となり、当接状態を安定に維持することができるものである。
【００１８】
また、浮上状態において、浮上状態から当接状態となるような方向の外部荷重がスタンドに付与された場合、この外部荷重は付勢手段による付勢荷重とは反対向きの荷重であり、外部荷重が付勢荷重よりも弱いときはスタンドは動くことはない。この外部荷重が付勢荷重よりも強いときは、スタンドは外部荷重により付勢荷重の付勢力に抗して回動を開始する。このスタンドの回動により外部荷重を吸収するとともに、スタンドの回動に伴い本体装置も浮上状態から当接状態となる方向に回動するものである。このようにスタンドの回動により外部荷重を吸収できる構造のため、外部荷重により保持手段が破損することがないものである。また、スタンドと付勢手段という簡単な構成を付加するのみで、保持手段の破損を防止することができるものである。
【００２０】
また、上記発明によれば、保持手段は、浮上状態におけるスタンドの回動動作を固定する固定機能と、浮上状態において所定の荷重が付与された際にスタンドの回動動作の固定を解除する固定解除機能を具備するものである。
【００２１】
本発明は、上記構成のため、浮上状態において、保持手段の固定機能によりスタンドが固定されてロック状態とされる。このため、スタンドの軸部を軸支している本体装置の回動動作も固定される。従って、本体装置の安定した浮上状態を維持することができ、浮上状態時での清掃作業を安心して行うことができるものである。
【００２２】
また、ロック状態において、本体装置を浮上状態から当接状態にする方向の一定以上の外部荷重が付与された場合、保持手段の固定解除機能によりスタンドの固定が解除される。このため、本体装置の回動規制も解除され、本体装置は回動可能となる。従って、付加された外部荷重によって本体装置が浮上状態から当接状態となる方向に回動するものである。
【００２４】
また、上記発明によれば、保持手段は、スタンドの回動動作に抵抗を付与するダンパ手段を具備しているので、スタンドが回動動作を行う際にその回動は、ダンパ手段により抵抗を受けるものである。このため、本体装置が浮上状態から当接状態に、つまりスタンドが突出状態から収納状態となる方向に本体装置が回動する際に、ダンパ手段によりゆるやかに本体装置を回動させることができ、本体装置と便器が衝突することによる本体装置の破損を防止することができるものである。
【００２６】
また、上記発明によれば、便器装置は、人体局部を洗浄する洗浄手段を備える。この洗浄手段は、洗浄水としての温水を貯える温水タンクを備える。また、ダンパ手段は粘性流体からなっている。そして、この粘性流体からなるダンパ手段は、好ましくは温水タンクの近傍に位置しているものである。
【００２７】
粘性流体からなるダンパ手段のダンパ効果は、その粘性流体の粘度に依存する。また、粘性流体の粘度はその温度に依存する。つまり、一般的に、温度が低い程粘度が高く、温度が高い程粘度が低い。このように温度によりそのダンパ特性が変化するダンパ手段を使用する場合、四季の変化による周囲温度の変化によりダンパ手段のダンパ効果が変わるので、使い勝手が悪い。これに対し、本発明では、ダンパ手段は温水タンクの近傍に位置している。温水タンクの温度は、使用者の設定にもよるが、ほぼ一定である。従って、ダンパ手段の温度も四季を通じてほぼ一定とすることができ、ダンパ効果を安定させることができるものである。
【００２８】
【発明の実施の形態】
以下、本発明の実施例について、図面に基づいて説明する。
【００２９】
図１は、本例における便器装置の全体斜視図である。図において、便器装置１は、便器２と、水洗水が貯えられた水洗タンク３と、便器１の上部に載置された本体装置４とを主な構成とするものである。
【００３０】
本体装置４は、便器２の上部外周に該便器２を後側から取り巻くように載置されており、全閉状態において便器２の上面を覆う便座４１、全閉状態において便座４１の上部を覆う便蓋４２、及び、便器２の使用時に必要な機能を実行するための部品としての機能部４３を内部に収容した本体ケース４４と、本体ケース４４の上部表面に設置され使用者の操作により種々の機能が選択可能とされた操作パネル４５、便座４１の下部に突出し人体局部を洗浄する洗浄手段としての局部洗浄ノズル４６、同じく便座４１の下部に突出し女性局部を洗浄するビデノズル４７を備え、これらを集約したものである。便座４１及び便蓋４２は、夫々の基端辺に回動軸が一体に取り付けられており、これらの回動軸は本体ケース４４に形成された軸孔により回動可能に軸支されている。従って、便座及び便蓋は、上記軸孔に対して回動して開閉可能であり、この回動に伴いそれぞれの回動軸も回動する構造である。
【００３１】
図２は、機能部４３が本体ケース４４に収納された本体装置４の図である。図において、本体装置４は、前述したように、便座４１、便蓋４２、機能部４３、該機能部４３を内部に集約した本体ケース４４、局部洗浄ノズル４６、ビデノズル４７を備えるものである。機能部４３は、図１に示す操作パネル４５の下部に配設され該操作パネル４５に配列した操作ボタンが押圧されたことを検知するスイッチ基板４３１、該スイッチ基板４３１の下部に取り付けられマイクロコンピュータ等の制御手段よりなるコントロール基板４３２、該コントロール基板４３２の下部に配置し局部洗浄ノズル４６やビデ洗浄ノズル４７に供給する温水を貯える温水タンク４３３、洗浄ノズル４６、４７の横部に配設され局部乾燥時に温風を供給するための温風ファン４３４、温風ファン４３４の隣りに配設され便器使用時の脱臭を行うための脱臭ファン４３５、脱臭ファン４３５の隣りに配設されトイレ室の暖房を行うための部屋暖房ファン４３６、等の、各種機能を実行するための要素が設置されている他、洗浄ノズル４６、４７に対して温風ファン４３４とは反対側の横部には、便座の開閉状態を検知する便座開閉検知手段及び便蓋の開閉状態を検知する便蓋開閉検知手段が収納された検知ユニット４３７が配設されているものである。
【００３２】
図３は、本例における本体装置４と便器２との取り付け構造を示す図である。図３に示すように、本体装置４と便器２とを取り付ける際に両者の間に設置板５を介在させている。この設置板５は、２つの固定用長孔５１を有すると共に、両側に軸受けガイド５２を有する。この軸受けガイド５２は、前後方向に長孔状に形成されており、後述するごとく、回動軸４８を前後方向にスライド可能に保持するように構成されている。
【００３３】
また、設置板５は、図３に示すごとく、固定ボルト５３を長孔５１及び便器の取り付け孔に貫通させ、パッキン５４、ワッシャ５５を介してナット５６により締め付けることにより、便器上部に固定されている。
【００３４】
また、本体装置４は、図３に示すごとく、その底面後部に内方に突出する一対の回動軸４８を有しているとともに、底面の一端側には収納室４９が形成され、該収納室４９内に保持手段７を設けてなる。そして、回動軸４８は、設置板５の軸受けガイド５２に対して前後方向にスライド可能に係合させてなるものである。
【００３５】
本体装置４及び設置板５は上記のごとく構成されているので、本体装置４は、設置板５の軸受けガイド５２に係合した回動軸４８を中心として、便器２に対して回動可能とされているものである。
【００３６】
次に、保持手段７について、図４、図５、図６を用いて説明する。図４は保持手段を正面から見た場合の部分断面図、図５は図４におけるＡ−Ａ断面図であり保持手段の平面断面図、図６は図４におけるＢ−Ｂ断面図であり保持手段の側面部分断面図である。図に示すごとく、保持手段７はスタンド７１を備える。このスタンド７１は、第１の腕部７１１と、該第１の腕部７１１と略平行に形成された第２の腕部７１２と、両腕部７１１、７１２の一端側（基端側）７１１ａ、７１２ａを連結する軸部７１３と、両腕部７１１、７１２の他端側（先端側）７１１ｂ、７１２ｂを連結するとともに第２の腕部７１２ｂの側方に突出して形成された設置部７１４とを主な構成とするものである。両腕部７１１、７１２及び設置部７１４は樹脂で一体に形成されている。また、軸部７１３は、第１腕部７１１の一端７１１ａと第２腕部７１２の一端７１２ａとを連結する鉄芯７１３ａと、該鉄芯７１３ａの回りに被せられた第１軸部７１３ｂ及び第２軸部７１３ｃからなっている。また、軸部７１３の外周には樹脂ケース７２が覆われており、この樹脂ケース７２が本体装置４の底部に形成された収納室４９内に締結されて収納固定されている。そして、スタンド７１は、この本体装置４の底部に固定された樹脂ケース７２に該スタンド７１の一端としての軸部７１３が軸支されるとともに、この軸部７１３を中心として回動可能とされているものである。
【００３７】
また、スタンド７１の回動中心である軸部７１３と、本体装置４の回動中心である回動軸４８とは、略平行な位置関係とされている（図３参照）。このため、両者（スタンド７及び本体装置４）はいずれも両軸（軸部７１３及び回動軸４８）に対して垂直な面内で回動可能とされているものである。
【００３８】
図４、図５からわかるように、樹脂ケース７２は、第１樹脂ケース７２１、第２樹脂ケース７２２、第３樹脂ケース７２３に分割されており、各樹脂ケース７２１、７２２、７２３をボルト等の締結手段で締結させて１つの樹脂ケース７２を構成している。
【００３９】
第１樹脂ケース７２１は、スタンド７１の第１軸部７１３ｂの外周を覆うように形成されており、この第１樹脂ケース７２１の図５示左側端部は内方に延在して第１軸部７１３ｂに接触している。また、第１樹脂ケース７２１の図５示右側端部は第２樹脂ケース７２２の左側壁に接触している。そして、第１樹脂ケース７２１の内壁、第１軸部７１３ｂの外壁、及び第２樹脂ケース７２２の左側壁で、粘性流体室７３が画成されている。この粘性流体室内には粘性流体としてのシリコンオイル７３１が封入されており、スタンド７１の回動動作に抵抗を付与するダンパ手段として機能するものである。尚、符号７３２は、バルブであり、粘性流体による抵抗を調節するためのものである。尚、粘性流体室７３は、Ｏリング７４、７４により気密性が保たれているものである。
【００４０】
第２樹脂ケース７２２及び第３樹脂ケース７２３は、第２軸部７１３ｃを覆うように形成されている。第２樹脂ケース７２２と第２軸部７１３ｃとの間には、図５から明らかなように、２つのローラ７５及び板バネ７６が配設されている。この部分の部分断面を示す図６からわかるように、第２樹脂ケース７２２には、その内部に板バネ７６を収容すべき三日月状の板バネ空間７７が形成されている。この板バネ空間７７は、該板バネ空間７７の外側面７７ａを形成する第２樹脂ケース７２２の外側部７２２ａの内周面と、該外側部７２２ａの図示上部から円弧状に下方に延在して板バネ空間７７の上部内側面７７ｂを形成する第１内側部７２２ｂの外周面と、該外側部７２２ａの図示下部から円弧状に上方に延在して板バネ空間７７の下部内側面７７ｃを形成する第２内側部７２２ｃの外周面とで囲まれた空間で三日月状に形成され、この板バネ空間７７内に板バネ７６が曲げられて収納されている。また、板バネ空間７７の外側面７７ａからは該板バネ空間７７の略両端に相当する部分に突起７７ｄが形成され、この両突起７７ｄで板バネ７６を押してその曲率を小さくすることで、反力として板バネ７６の略中央部が第１内側部７２２ｂ及び第２内側部７２２ｃ側に押し付けられ、この板バネ７６の略中央部において図６示矢印Ａ方向の押し付け力が発生しているものである。
【００４１】
また、第２樹脂ケース７２２の第１内側部７２２ｂの先端部と第２内側部７２２ｃの先端部との間には、スリット状の空間７８が形成され、このスリット状空間７８には円筒状のローラ７５が配設されている。一方、第２樹脂ケース７２２の第１内側部７２２ｂ及び第２内側部７２２ｃの内周面側には第２軸部７１３ｃが配設されており、この第２軸部７１３ｃは、図からわかるようにその側面の一個所に断面円弧状で図６の紙面に垂直な方向に延びたスリット７１３ｃ’が形成されている。そして、スリット７１３Ｃ’の断面の曲率はローラ７５の外周の曲率とほぼ同一にされており、このスリット７１３ｃ’にローラ７５がはまり込むことが可能とされている（図６では、ローラ７５がスリット７１３ｃ’にはまり込んだ状態を示している。）。また、前述したように、板バネ空間７７に収容された板バネ７６は、突起７７ｄで押し付けられることによって、図６において図示矢印Ａ方向に押し付け力を発生している。この押し付け力は、第１及び第２内側部７２２ｂ、７２２ｃの先端部間のスリット状空間７８に配設されたローラ７５を図示左方向に付勢する付勢力となり、その結果、ローラ７５は常に第２軸部７１３ｃに押し付けられた状態で保持されていることになる。また、図よりわかるように、ローラ７５の図示上方向には第１内側部７２２ｂの先端面が、その図示下方向には第２内側部７２２ｃの先端面が配置されているので、ローラが図示上下方向に移動しようとしてもこれら第１及び第２内側部７２２ｂ、７２２ｃに干渉するので図示上下方向には移動できない。また、図示左右方向への移動は、ローラ７５に板バネ７６からの付勢力よりも大きな力が図示右方向に付加されない限り移動できないようにされているものである。
【００４２】
図４、図５に示すように、第３樹脂ケース７２３と第２軸部７１３ｃとの間には、コイルバネ７９が配設されている。このコイルバネ７９は、その一端が第２軸部７１３ｃに、その他端が第３樹脂ケース７２３に取り付けられており、図６及び後述の図７において、スタンド７１の設置部７１４を常に図示矢印Ｂ方向に回動させるようにスタンド７１に付勢力を付与しているものである。
【００４３】
次に、上記構成の便器装置１において、本体装置４を回動させるときの作動について説明する。
【００４４】
図８は、本体装置４が回動しておらずにその底面が便器２に当接した当接状態を示す図である。図において、本例における便器装置１が使用可能な使用状態では、本体装置４は図の二点鎖線で示す状態とされる。つまり、本体装置４の後部（図示右側部）は水洗タンク３に近接しているとともに、本体装置４の底部（図示下側部）は便器２に図示せぬ設置板５を介して当接している状態である。この使用状態から、本体装置４全体を前方（図示左側方向）にスライドさせ、水洗タンク３との間に回動用のスペースを確保した前進状態とする。この前進状態においては、本体装置４の後部と水洗タンク３との間に隙間が形成された状態である。上記した使用状態及び前進状態は、いずれも本体装置４の底面が便器２に当接した当接状態である。この当接状態においては、図８に示すように保持手段７は収納室４９に収納された収納状態である。
【００４５】
収納状態における保持手段を、図７に示す。図において、スタンド７１は、便器に対して寝かされた状態とされている。また、第２樹脂ケース７２２の第１内側部７２２ｂと第２内側部７２２ｃとの間のスリット状空間７８に配設されたローラ７５は、第２軸部７１３ｃの表面に形成されたスリット７１３ｃ’に嵌め込まれていない状態である。このため、第２軸部７１３ｃはローラ７５によりその回動動作を規制されることはなく、コイルバネ７９（図４、図５参照）の付勢力によりスタンド７１は図７の矢印Ｂ方向に回動しようとする。この矢印Ｂ方向への付勢力は、保持手段７の上部に配置する本体装置の重力に抗してスタンド７１が起き上がり、スタンド７１の設置部７１４（他端部）と本体装置４とを離間させる方向へ常に働く付勢力である。この付勢力は、スタンド７１の設置部７１４がその下面の便器２を押す力として便器２に作用し、この反発力として、スタンド７１が設置部７１４を支点として本体装置４を持ち上げる力を本体装置４に付与する。しかしながら、本体装置４と便器２とが設置板５を介して当接した当接状態であると、本体装置４の重量により、スタンド７１にはその設置部７１４を本体装置４に当接させる方向に大きなモーメントがかかる。このためスタンドは回動することができず、図７に示すように収納位置に収納されたままとされるものである。
【００４６】
図８に示す前進状態から、本体装置４全体を、人力により回動軸４８を中心として後方（図８において時計回りの方向）に回動させると、図９に示すように本体装置４の底部が持ち上がり、この底部と便器２との間に清掃用の隙間Ｓが形成される。このような状態となると、本体装置４の底部に収納された保持部７の下部は、空間としての隙間Ｓとなるので、図７に示す収納状態であった保持手段７のスタンド７１は、コイルバネ７９の付勢力により図示矢印Ｂ方向に回動することができる。このため、スタンド７１の設置部７１４が本体装置４の底部から突出した突出状態となるものである。
【００４７】
スタンド７１の設置部７１４が軸部７１３を中心として所定量回動すると、図６に示す状態になる。この状態においては、第２樹脂ケース７２２内に形成されたスリット状空間７８に配設されたローラ７５は、第２軸部７１３ｃの外周面に形成されたスリット７１３ｃ’にははまり込んだ状態となる。このようにローラ７５がスリット７１３ｃ’にはまり込んだ状態となると、板バネ７６によって図６の図示矢印方向に付勢される押し付け力に抗してローラ７５がスリット７１３ｃ’を乗り越える程の強い力を該ローラ７５に付与しない限り、ローラ７５はスリット７１３ｃ’にはまり込んだままとなり、スタンド７１の動きが固定される。つまり、スタンド７１の回動動作が固定された状態となるものである。このようにスタンド７１の回動動作を固定したロック状態とすることにより、スタンド７１の回動位置が安定する。このロック状態でスタンド７１の設置部７１４を便器２の上部に設置して本体装置４を支えることにより本体装置４の回動が規制され、図９に示すような本体装置４と便器２との間に清掃用の隙間Ｓを形成した浮上状態を保持することができるものである。
【００４８】
尚、図８に示す当接状態から、図９に示す浮上状態となる間に、スタンド７１は該スタンド７１の設置部７１４と本体装置４の底部とを離間する方向に回動して収納状態（図７の状態）から突出状態またはロック状態（図６の状態）となるが、このとき粘性流体室７３に封入された粘性流体７３１によってスタンド７１へ回動抵抗が付与される。しかしながら、収納状態から突出状態となる場合には、粘性流体室７３に配設されたバルブ７３２により粘性流体７３１の流路が拡大されるので、この場合における回動抵抗はごくわずかであり、スタンド７１は速やかに回動するものである。
【００４９】
また、図９に示す浮上状態では、本体装置４が傾斜しており、スタンド７１を閉じる方向（スタンド７１の設置部７１４と本体装置４の底部とを近づける方向）への回転モーメントが小さいこと、及び、スタンド７１がロック状態とされていることから、本体装置４の浮上状態を安定的に保持することができるものである。
【００５０】
そして、この本体装置４と便器２との間に清掃用の隙間Ｓが形成された浮上状態において、図１０に示すように清掃者が隙間Ｓに手を入れて、便器２の上部や本体装置４の底部を清掃することができるものである。
【００５１】
また、浮上状態において、装置本体４に、該装置本体４を浮上状態から当接状態とする方向、例えば図９の矢印Ｃで示す方向に強い外部荷重が付加された場合には、この外部荷重は本体装置４の底部に軸支されたスタンド７１にも作用する。このスタンド７１に作用する強い外部荷重がスタンド７１のロック状態を解除する力を上回った場合には、ローラ７５がスリット７８を乗り越えてスタンド７１のロックが解除される。スタンド７１のロックが解除されると、スタンド７１は回動可能となり、該スタンド７１に加えられる外部荷重に従い突出状態から収納状態となる方向へ回動する。このスタンド７１の回動に伴い本体装置４もその回動規制が解かれて回動し、本体装置４は浮上状態から当接状態へ移っていく。このように、浮上状態において保持手段７に浮上状態から当接状態となる方向へ一定以上の外部荷重が付加された際に、保持手段７による本体装置４の回動規制を解くとともに保持手段７も突出状態から収納状態となる方向に回動して外部荷重を吸収するので、付加された外部荷重により保持手段７が破損することはないものである。
【００５２】
浮上状態から当接状態に戻すためには上記したように外部荷重を本体装置４に加えてスタンド７１のロック状態を解除させてやればよいが、ロックを解除する簡単な方法の一例として、清掃者は、便座４１及び便蓋４２を手で図９示矢印Ｄ方向、つまり、本体装置４を浮上状態から当接状態とする方向に回動させる方法がある。便座４１及び便蓋４２を図示矢印Ｄ方向に回動させた場合、本体装置４にはこの方向への回転モーメントが発生する。この回転モーメントの大きさは、便座４１及び便蓋４２の回動量が増すにつれて大きくなり、ある一定の位置にまで便座４１及び便蓋４２の回動が進行すると、この回動モーメントが本体装置４を支えているスタンド７１のロック状態を解除する力を上回り、ローラ７５がスリット７８を乗り越えてスタンド７１のロックが解除される。スタンド７１のロックが解除されると、スタンド７１は回動可能となり、該スタンド７１に加えられる本体装置４からの荷重に従い突出状態から収納状態となる方向へ回動する。このスタンド７１の回動に伴い本体装置４もその回動規制が解かれて回動し、本体装置４は浮上状態から当接状態へ移っていくものである。
【００５３】
このように、浮上状態から当接状態とする場合には、便座４１及び便蓋４２を回動させるという簡単な動作でスタンド７１に一定以上の荷重を付加し、保持手段７のロック状態を解除して保持手段７による本体装置４の回動規制を解くとともに保持手段７も突出状態から収納状態となる方向に回動する。これにより、本体装置４を浮上状態から当接状態にすることができるものである。
【００５４】
尚、スタンド７１が突出状態またはロック状態から収納状態に移る場合には、粘性流体室７３に配置されたバルブ７３２により回動抵抗をスタンド７１に付与する粘性流体７３１の流路が狭くされる。このため、回動抵抗が大きくなり、スタンド７１はゆっくりと突出状態から収納状態に移る。これにともない本体装置４もゆっくりと浮上状態から当接状態へ移っていくものである。このため、急激に本体装置４が便器２に衝突することが防止でき、本体装置４を便器２と衝突する際の衝撃による破損から保護することができるものである。
【００５５】
図１１は保持手段７の位置を示す図である。図よりわかるように、保持手段７は、温水タンク４３３の近傍に位置している。保持手段７には、ダンパ手段としての粘性流体７３１が粘性流体室７３に封入されているが、この粘性流体７３１からなるダンパ手段のダンパ効果は、その粘性流体７３１の粘度に依存し、また粘性流体７３１の粘度はその温度に依存する。このように温度によりその特性が変化する粘性流体７３１を用いたダンパ手段を使用する場合、四季の変化による周囲温度の変化により粘性流体７３１のダンパ効果が変わるのを防止する必要がある。このため、本例では粘性流体７３１を使用するダンパ手段を備える保持手段７を温水タンク４３３の近傍に位置させた。温水タンク４３３の温度は、使用者の設定にもよるが、ほぼ一定である。従って、粘性流体７３１の温度も四季を通じてほぼ一定とすることができ、ダンパ効果を安定させることができるものである。
【００５６】
また、本例の場合、図１１からわかるように、温水タンク４３３は上から見て縦長部分４３３ａ及び横長部分４３３ｂからなるＬ字状に形成されている。このようにＬ字状に温水タンク４３３が形成されている場合は、保持手段７は、縦長部分４３３ａ及び横長部分４３３ｂで囲まれた領域内（図示一点鎖線領域内）に配置するのが良い。このように配置することにより、縦長部分４３３ａからも横長部分４３３ｂからも温水タンク４３３の熱を受け取ることができ、粘性流体室７３内の温度分布も均一になるとともに、粘性流体７３１の温度をより一定とすることができるものである。
【００５７】
以上のように、本例によれば、便器２と、便器２に載置され便器使用時に必要な部品（機能部４３）が集約されるとともに便器２に当接した当接状態及び便器２との間に隙間が形成される浮上状態とを取り得るように回動可能な本体装置４と、本体装置４の回動を規制することにより浮上状態を保持するとともに本体装置４を浮上状態から当接状態とする方向の一定以上の荷重が付与された際に本体装置４を回動可能とする保持手段７とを備えた便器装置１とした。このため、本体装置４が回動して便器２との間に清掃用の隙間Ｓが形成された浮上状態であるときに保持手段７により本体装置４の回動が規制されて浮上状態が保持され、清掃者は本体装置４と便器２との間の清掃用の隙間Ｓを清掃することができる。また、この浮上状態において、本体装置４を浮上状態から当接状態にする方向に一定以上の荷重が保持手段７に付加されたときには、保持手段７による本体装置４の回動規制が解かれて本体装置４は回動可能とされ、本体装置４が浮上状態から当接状態となる方向に回動する。このように、浮上状態において保持手段７に一定以上の荷重が付加された際に、保持手段７による本体装置４の回動規制を解いて本体装置４を回動可能とするので、付加された荷重により保持手段が破損することはないものである。
【００５８】
また、保持手段７は、本体装置４の底面にその一端としての軸部７１３が軸支されるとともに軸部７１３を中心として回動可能なスタンド７１と、スタンド７１の他端としての設置部７１４と本体装置４とを離間する方向にスタンド７１を付勢する付勢手段としてのコイルバネ７９を具備する。このため、本体装置４の底部にその軸部７１３が軸支されたスタンド７１は、コイルバネ７９により常にその設置部７１４が本体装置４と離間する方向に付勢力が付与されている。これにより本体装置４が当接状態から浮上状態となるときに、このコイルバネ７９からの付勢荷重によりスタンド７１の設置部７１４が本体装置４と離間する方向に回動して本体装置４の底面から突出する突出状態となる。一方、当接状態においては、便座４１及び便蓋４２がスタンド７１の前方に延びているため、スタンド７１には、該スタンド７１の設置部７１４を本体装置４に当接させる方向に大きなモーメントがかかる。このためスタンド７１の設置部７１４は本体装置４と離間する方向には回動できずに本体装置４の底面に収納された収納状態とされ、当接状態を安定に維持することができるものである。
【００５９】
また、浮上状態において、図９の矢印Ｃに示すような、浮上状態から当接状態となるような方向の外部荷重がスタンド７１に付与された場合、この外部荷重はコイルバネ７９による付勢荷重とは反対向きの荷重であり、外部荷重が付勢荷重よりも弱いときはスタンド７１は動くことはない。この外部荷重が付勢荷重よりも強いときは、スタンド７１は外部荷重により付勢荷重の付勢力に抗して回動を開始する。このスタンド７１の回動により外部荷重を吸収するとともに、スタンド７１の回動に伴い本体装置４も浮上状態から当接状態となる方向に回動するものである。このようにスタンド７１の回動により外部荷重を吸収できる構造のため、外部荷重により保持手段７が破損することがないものである。また、スタンド７１とコイルバネ７９という簡単な構成を付加するのみで、保持手段７の破損を防止することができるものである。
【００６０】
また、保持手段７は、浮上状態においてスタンド７１の回動動作を固定してロック状態とする固定機能と、ロック状態において本体装置４を浮上状態から当接状態とする方向の荷重が付与された際にスタンド７１の回動動作の固定を解除する固定解除機能とを備える。このため、浮上状態において、保持手段７の固定機能によりスタンド７１をロック状態とすることで、本体装置４の安定した浮上状態を維持することができ、浮上状態時での清掃作業を安心して行うことができるものである。
【００６１】
また、ロック状態において、図９の矢印Ｃで示すような、本体装置４を浮上状態から当接状態にする方向の一定以上の外部荷重が付与された場合、保持手段７の固定解除機能によりスタンド７１の固定が解除される。このため、本体装置４の回動規制も解除され、本体装置４は回動可能となる。従って、付加された外部荷重によって本体装置が浮上状態から当接状態となる方向に回動する。これとともにスタンド７１も、外部荷重を吸収しつつ突出状態から収納状態になる方向に回動する。このようにスタンド７１が破損することなく収納状態にすることができるものである。
【００６２】
尚、本例においては、上記固定機能は、保持手段７の第２軸部７１３ｃに形成されたスリット７１３ｃ’、ローラ７５、板バネ７６、板バネ空間７７、第２樹脂ケース７２２の組付け構成により達成される。同じく、上記固定解除機能も、保持手段の第２軸部７１３ｃに形成されたスリット７１３ｃ’、ローラ７５、板バネ７６、板バネ空間７７、第２樹脂ケース７２２の組付け構成により達成される。このように、固定機能と固定解除機能を達成する構成を同じ部材で構成することにより、保持手段７の構造を簡単かつコンパクトにすることができるものである。
【００６３】
また、本例において、本体装置４の回動を規制している力は、上記ロック機能によるスタンド７１のロック力であり、スタンド７１に付勢力を付与しているコイルバネ７９の付勢力は、本体装置４の回動規制に実質的には寄与しない。いいかえれば、コイルバネ７９は、本体装置４の回動を規制する程の大きな力を発生するものを使用しなくとも良いことになる。従って、コイルバネ７９の大きさを小さくでき、保持手段７をコンパクトにすることもできるものである。
【００６４】
また、保持手段７は、粘性流体からなるダンパ手段を具備している。このダンパ手段は、スタンド７１の回動動作に抵抗を付与するものであるが、特に、本体装置４を浮上状態から当接状態にする方向に回動させるときに、このダンパ手段により回動抵抗を与えることで、本体装置４のゆるやかな行動動作を実現でき、本体装置４と便器２との急激な衝突による本体装置４の破損を防止することができる。この場合、スタンド７１を付勢するコイルバネ７９のみで本体装置４のゆるやかな回動を実現しようとすると、このコイルバネ７９を非常に強力なものとしなければならず、保持手段７が大型化してしまうのみならず、コイルバネ７９の強力な弾性力のため、当接状態においてもスタンド７１が突出状態となり、当接状態を実現できない恐れも生じる。この点、本例では、ダンパ手段を採用しているので、コイルバネ７９を比較的小さなものとでき、また当接状態でスタンド７１が突出することもないものである。
【００６５】
また、粘性流体７３１からなるダンパ手段は温水タンク４３３の近傍に位置している。このため粘性流体７３１の温度が一定に保たれ、温度変化によるダンパ特性の変化を減少させてダンパ効果を安定させることができるものである。
【００６６】
【発明の効果】
本発明によれば、便器装置において、本体装置が浮上状態であるときに荷重がかかった場合、本体装置や回動機構が破損しないようにこれらを保護することができるものである。
【図面の簡単な説明】
【図１】本発明の実施形態例における、便器装置の全体斜視図である。
【図２】本発明の実施形態例における、本体装置の斜視図である。
【図３】本発明の実施形態例における、本体装置と便器との取り付け構造を示す図である。
【図４】本発明の実施形態例における、保持手段の正面部分断面図である。
【図５】図４のＡ−Ａ断面図であり、本発明の実施形態例における保持手段の平面断面図である。
【図６】図４のＢ−Ｂ断面図であり、本発明の実施形態例における保持手段のロック状態における側面部分断面図である。
【図７】本発明の実施形態例における、保持手段の収納状態における側面部分断面図である。
【図８】本発明の実施形態例における、本体装置の当接状態を示す側面概略図である。
【図９】本発明の実施形態例における、本体装置の浮上状態を示す側面概略図である。
【図１０】本発明の実施形態例における、本体装置が浮上状態のときに形成される隙間を清掃する状態を示す斜視図である。
【図１１】本発明の実施形態例における、便器装置内での保持手段の位置を示す平面透視図である。
【図１２】従来技術における、ダンパ手段の構造を示す図である。
【符号の説明】
１・・・便器装置
２・・・便器
４・・・本体装置
４１・・・便座、  ４２・・・便蓋、  ４３・・・機能部、  ４４・・・本体ケース、４５・・・操作パネル、  ４６・・・局部洗浄ノズル、  ４７・・・ビデ洗浄ノズル、４８・・・回動軸、  ４９・・・収納室
４３３・・・温水タンク
５・・・設置板、  ５１・・・軸受けガイド
７・・・保持手段
７１・・・スタンド
７１１・・・第１の腕部、  ７１２・・・第２の腕部、  ７１３・・・軸部（スタンドの一端）、
７１３ａ・・・鉄芯、  ７１３ｂ・・・第１軸部、  ７１３ｃ・・・第２軸部、
７１４・・・設置部（スタンドの他端）
７２・・・樹脂ケース
７２１・・・第１樹脂ケース、  ７２２・・・第２樹脂ケース、  ７２３・・・第３樹脂ケース
７２２ａ・・・外側部、  ７２２ｂ・・・第１内側部、  ７２３ｃ・・・第２内側部
７３・・・粘性流体室
７３１・・・粘性流体（ダンパ手段）、  ７３２・・・バルブ
７５・・・ローラ
７６・・・板バネ
７７・・・板バネ空間
７７ｄ・・・突起
７８・・・スリット状空間
７９・・・コイルバネ（付勢手段）
【図１】
0004144068.tif 000002
【図２】
0004144068.tif 000003
【図３】
0004144068.tif 000004
【図４】
0004144068.tif 000005
【図５】
0004144068.tif 000006
【図６】
0004144068.tif 000007
【図７】
0004144068.tif 000008
【図８】
0004144068.tif 000009
【図９】
0004144068.tif 000010
【図１０】
0004144068.tif 000011
【図１１】
0004144068.tif 000012
【図１２】
0004144068.tif 000013